(57)【要約】【課題】衣類用のハンガーについて、型くずれや脱落しやすい形態の衣類を掛けた状態のままハンガーと衣類を容易に固定できるようにする。【解決手段】ハンガー本体３Ａの両下端側を水平方向に渡しながら磁石による固定手段で吊りロッド５をハンガー本体３Ａに着脱可能に固定してなるハンガー１Ａにおいて、その固定手段がハンガー本体３Ａ両下端側の前面にその面と同じ向きの固定面３１１ａ，３２１ａを形成して設けた磁石による取付け部３１１，３２１と、固定面３１１ａ，３２１ａに対向する向きで被固定面５１ａ，５２ａを形成して吊りロッド５両端側の後面に設けられた磁石による被取付け部５１，５２とで構成され、吊りロッド５を磁石の吸着力に抗して引くことでハンガー本体３Ａから分離され、固定面３１１ａ，３２１ａに被固定面５１ａ，５２ａを前方から各々磁気吸着させることでハンガー本体３Ａに吊りロッド５を固定するものとした。【選択図】図１
2011217777.tif 000002
【特許請求の範囲】
【請求項１】
左右斜め下向きに一対のフレームを延設してなるハンガー本体の両下端側を、該ハンガー本体とは別体の吊りロッドで水平方向に渡しながら、磁石の吸着力による固定手段で前記吊りロッドを前記ハンガー本体に着脱可能に固定してなるハンガーにおいて、
前記固定手段は、前記ハンガー本体両下端側の前面又は／及び後面に該面と同じ向きの固定面を形成するように各々設けられた磁石又は磁性材料による取付け部と、前記固定面に対向する向きで被固定面を形成するように前記吊りロッド両端側の後面又は／及び前面に各々設けられた磁性材料又は磁石による被取付け部とで構成され、前記吊りロッドを前記磁石の吸着力に抗して引くことでフレームから分離され、該分離された吊りロッドは前記両取付け部の固定面に前記被固定面を前方又は後方から各々磁気吸着させることで前記ハンガー本体に固定される、ことを特徴とするハンガー。
【請求項２】
前記両取付け部は、金属製の磁性材料で前記ハンガー本体両下端側の前後両面に各々前記固定面を形成してなる、ことを特徴とする請求項１に記載したハンガー。
【請求項３】
前記両取付け部は、板状金属を側面視略Ｕ字状に屈曲させて前記ハンガー本体両下端側の下面に内側底面を密着した状態で各々装着されて、縦向きに延びた内側面と前記ハンガー本体両下端側の前面又は／及び後面との間に、前記吊りロッド端部側を上方から挿入可能な幅の凹部を各々形成しており、左右一対の前記凹部に上方から各端部側を挿入することによっても前記吊りロッドが前記ハンガー本体に固定される、ことを特徴とする請求項２に記載したハンガー。
【発明の詳細な説明】
【技術分野】
【０００１】
本発明は、衣類を掛けるためのハンガーに関し、殊に、主としてズボンを掛けるための吊りロッドが磁力による固定手段でハンガー本体に着脱可能に設けられて、衣類をハンガー本体に容易に固定することのできるハンガーに関する。  
【背景技術】
【０００２】
図９は一般に普及しているハンガーの構成を示しているが、このハンガー１Ｄは左右斜め下向きに各々延設されたフレーム３５，３６からなるハンガー本体３Ｄと、ハンガー本体３Ｄの上端から上向きに延設されたフック４と、左右のフレーム３５，３６下端側を水平方向に渡して設けられた吊りロッド７を備えており、上着やズボンを掛けてフック４で吊り下げることで皺や型くずれを生じにくくしたり、洗濯後のシャツ等を掛けて干すことで皺が生じにくい状態で乾燥を促したりする機能を発揮する。
【０００３】
しかし、このハンガー１Ｄのように吊りロッド７を備えたものでは、丸首シャツの首孔にフレーム端部側から挿入して掛ける際に、フック４上端から吊りロッド７中央部までの幅が首孔の内径よりも大きいため挿入が困難となりやすく、無理に挿入すると首孔を伸ばしてしまうことになる。そのため、吊りロッド７のないタイプのハンガーを用いることも多いが、吊りロッド７のないハンガーではズボン類を掛けられないため、２種類のハンガーを揃えることが必要になりハンガーの無駄が生じやすいものとなる。
【０００４】
これに対し、実開平７−３９７９５号には、合成樹脂製で弾性を有する左右のフレームの間に連結部材を回動自在に連結するとともにその連結部材の中央から上方に延設されたフックを備えており、左右のフレームを弾性変形させながらフックを傾倒可能なものとして、フック先端から吊りロッド中央部までの幅を一時的に縮小可能としたハンガーが提案されており、ズボン類を掛けられることに加え丸首シャツの首孔に容易に挿入できるようにしている。
【０００５】
一方、このハンガーを含む従来のハンガーにおいては、ズボンを吊りロッドに掛ける場合に、左右のフレームと吊りロッドの内側で形成される三角形の空間に足先側からズボンを通してその長さ方向中間位置で折り畳んで掛けるのが通常であるが、ズボンの縦方向の折り目がずれないように吊りロッドの上を滑らせながら掛け位置まで引っ張る手順を要し、ズボンをハンガーから外す場合はその逆の手順を要することになり、面倒な作業になってしまう。
【０００６】
この問題に対し、実公平６−４７３３６号公報には、左右のフレーム下端側に設けた凹部の底面に磁石を配置し、これに磁性材料からなる吊りロッドの左右端部を上方から係合する構成として、磁力による吸着力で吊りロッドをハンガー本体に着脱可能に設けたハンガーが提案されている。これにより、ズボン類を掛ける場合は、ハンガー本体から分離した吊りロッドをズボン中央で折り畳んだ部分の内側に通してから吊りロッド両端側をハンガー本体に固定すればよく、またハンガーから外す場合も、ズボン類の掛かった吊りロッドを分離することで作業が容易に行えるものとなる。
【０００７】
一方、ワイシャツやカーディガンなどの前合わせ型衣類をハンガーにそのまま掛けて干すと、殆どの場合、風等で前合わせ部がはだけて型くずれを起こしたりハンガーから落ちたりする。これを防ぐために、前合わせ部のボタンをある程度留めておくことが一般に行われている。しかし、一度に多くの洗濯物を干す場合には、ボタンを留める手間に加えて取り込む際にボタンを外す手間を要するため、作業効率を大きく低下させる原因となっていた。その他、洗濯ばさみでハンガーと衣類を固定する方法もあるが、これも手間がかかり、また乾燥後の衣類に洗濯ばさみの摘み跡が残ってしまう。
【０００８】
また、ボートネックやバレーネック等、首周りの広いタイプの服やタンクトップ型衣類は、ハンガーに掛けても肩部又は肩紐が傾斜したフレーム上を滑り落ちやすいことから、型くずれをおこしたりハンガーから落下したりしやすい特徴がある。これを防ぐためにフレーム上に窪みを設けて肩紐等を掛止しようとするハンガーもあるが、少しの動きで外れやすいため充分には機能しておらず、これらを掛けて干す場合やクローゼットに収納する際には苦慮しやすかった。したがって、衣類をハンガーに掛けた状態のまま固定できれば極めて便利なものとなる。
【先行技術文献】
【特許文献】
【０００９】
【特許文献１】実開平７−３９７９５号
【特許文献２】実公平６−４７３３６号公報
【発明の概要】
【発明が解決しようとする課題】
【００１０】
本発明は、上記のような問題を解決しようとするものであり、衣類用のハンガーについて、型くずれや脱落しやすい形態の衣類を掛けた状態のままハンガーに容易に固定できるようにすることを課題とする。
【課題を解決するための手段】
【００１１】
そこで、本発明は、左右斜め下向きに一対のフレームを延設してなるハンガー本体の両下端側を、ハンガー本体とは別体の吊りロッドで水平方向に渡しながら、磁石の吸着力による固定手段で吊りロッドをハンガー本体に着脱可能に固定してなるハンガーにおいて、その固定手段は、ハンガー本体両下端側の前面又は／及び後面にその面と同じ向きの固定面を形成するように各々設けられた磁石又は磁性材料による取付け部と、その固定面に対向する向きで被固定面を形成するように吊りロッド両端側の後面又は／及び前面に各々設けられた磁性材料又は磁石による被取付け部とで構成され、その吊りロッドを磁石の吸着力に抗して引くことでハンガー本体から分離され、分離された吊りロッドは両取付け部の固定面に被固定面を前方又は後方から各々磁気吸着させることでハンガー本体に固定される、ことを特徴とするものとした。
【００１２】
このように、吊りロッド磁力着脱式のハンガーにおいてその磁力による固定手段を、磁石と磁石、又は磁石と磁性材料の組み合わせで互いに対向する固定面と被固定面を形成してハンガー本体の前方又は後方から吊りロッドを着脱可能な構成としたことにより、吊りロッドの着脱が容易になるとともに丸首シャツの首孔に挿入しやすいことに加え、前合わせ型衣類を干す場合に前合わせ部を前方から吊りロッドで押さえた状態でハンガー本体に吸着・固定するだけで、前合わせ部がはだけるのを容易に回避可能な状態となり、且つ、首周りが広くハンガーから脱落しやすい衣類を掛ける場合も、前方から挟むように吊りロッドで押さえることで脱落を防止できるものとなる。
【００１３】
また、このハンガーにおいて、その両取付け部は、金属製の磁性材料でハンガー本体両下端側の前後両面に各々固定面を形成してなる、ことを特徴としたものとすれば、ハンガーの前面・後面の向きを問わず、前合わせ型などの脱落しやすい衣類を掛けてその前部を吊りロッドで押さえられるものとなる。
【００１４】
さらに、この場合、その両取付け部は、板状金属を側面視略Ｕ字状に屈曲させてハンガー本体両下端側の下面に内側底面を密着した状態で各々装着されて、その縦向きに延びた内側面とハンガー本体両下端側の前面又は／及び後面との間に、吊りロッド端部側を上方から挿入可能な幅の凹部を各々形成しており、その左右一対の凹部に上方から各端部側を挿入することによっても吊りロッドがフレームに固定される、ことを特徴としたものとすれば、重量のあるズボン等の衣類を吊りロッドに掛ける場合も容易に対応できるものとなる。
【発明の効果】
【００１５】
吊りロッド磁力着脱式のハンガーにおいて固定面と被固定面の向きがハンガー本体の前面又は後面に一致しながら各々対向するものとして、ハンガーの前方又は後方から吊りロッドを着脱可能とした本発明によると、型くずれや脱落しやすい形態の衣類を掛けた状態のまま容易にハンガーに固定でき、型くずれや脱落を容易に防止することができるものである。
【図面の簡単な説明】
【００１６】
【図１】本発明における実施の形態のハンガーであって、（Ａ）はハンガー本体から吊りロッドを分離した状態を示す正面図であり、（Ｂ）はハンガー本体に吊りロッドを固定した状態を示す正面図である。
【図２】（Ａ）は図１（Ｂ）のＸ−Ｘ線に沿って切断した拡大端面図であり、（Ｂ）は（Ａ）のハンガー本体から吊りロッドを分離した状態を示す拡大端面図である。
【図３】図１のハンガーを丸首シャツの首孔に挿入する際の状態を示す正面図である。
【図４】図１のハンガーに前合わせ型衣類を掛けて吊りロッドでその前合わせ部を押さえた状態を示す正面図である。
【図５】図１のハンガーにズボンを掛ける際の状態を示す正面図である。
【図６】（Ａ）は図１のハンガーにボートネック型衣類を掛けて固定した状態を示す正面図であり、（Ｂ）は図１のハンガーにタンクトップ型衣類を掛けて固定した状態を示す正面図である。
【図７】（Ａ）は図２に示した実施の形態の応用例を示す端面図であり、（Ｂ）は（Ａ）のハンガー本体に対する吊りロッドの固定位置を逆側に変更した場合を示す端面図、（Ｃ）は図２に示した実施の形態の他の応用例を示す端面図である。
【図８】図７（Ｃ）に示した応用例の使用方法を説明するための正面図である。
【図９】従来例を示す正面図である。
【発明を実施するための形態】
【００１７】
以下に、図面を参照しながら本発明を実施するための形態を説明する。
【００１８】
図１は本発明における実施の形態のハンガー１Ａを示しており、図１（Ａ）はハンガー本体３Ａからこれとは別体（別部材）の吊りロッド５を分離した状態を示しており、図１（Ｂ）はハンガー本体３Ａに吊りロッド５を固定した状態を示しているが、ハンガー本体３Ａの両下端側に設けた取付け部３１１，３２１と吊りロッド５両端側の被取付け部５１，５２とで構成された固定手段により、ハンガー本体３Ａから吊りロッド５が着脱可能なものとなっている。
【００１９】
ハンガー本体３Ａは、前後方向の厚さがほぼ均一の部材からなり各々斜め下向きに延設された左右のフレーム３１，３２で構成され、その取付け部３１１，３２１は、左右のフレーム３１，３２の各下端側においてその前面と同じ向きの固定面３１１ａ，３２１ａを形成するように各々設けられた延べ板状の磁石（永久磁石）で構成されている。
【００２０】
一方、吊りロッド５の被取付け部５１，５２は、ハンガー本体３Ａの前面に対向する側（後面）に、取付け部３１１，３２１の固定面３１１ａ，３２１ａに各々対向する向きで被固定面５１ａ，５２ａを形成するように各々設けられた延べ板状の磁石で構成され（図２参照）、対向した一対の磁石が互いに吸着する極性の向きに配置されており、取付け部３１１，３２１とともに吊りロッド５を固定するための固定手段を構成している。
【００２１】
図２（Ａ）は、図１（Ｂ）のＸ−Ｘ線に沿って切断した拡大端面図を示しているが、その吊りロッド５は一対の磁石による吸着力でハンガー本体３Ａに固定されており、その吸着力を上回る力で引くことにより、図２（Ｂ）に示すように固定状態が解除されて分離するようになっており、この点が本発明の構成における特徴部分となっている。
【００２２】
即ち、吊りロッド５を外した状態にすることで、図３に示すように特許文献１に記載のハンガーと同様に丸首シャツ７０の首孔７１にフック４が引っ掛からずにハンガー本体３Ａを挿入可能な状態になるが、これに加え、前合わせ型衣類８０を干す場合に、図４に示すようにその前方から前合わせ部８１側を挟むように押さえながら吊りロッド５を磁気吸着させ、ハンガー本体３Ａに固定できるようになっている。
【００２３】
したがって、吊りロッド５をハンガー本体３Ａに固定した状態でズボンを掛けることができるのに加え、前合わせ型衣類８０を干す場合において吊りロッド５を固定した状態又は予め吊りロッド５をハンガー本体３Ａから外した状態で、前合わせ型衣類８０をハンガー１Ａ又はハンガー本体３Ａに掛け、ハンガー本体３Ａから分離した吊りロッド５両端側の被取付け部５１，５２をハンガー本体３Ａの取付け部３１１，３２１に前方から近接させるだけで容易に吸着・固定され、前合わせ型衣類８０の前開き部８１がはだけたり脱落したりするのを回避できるようになる。また、洗濯物を取り込む際には、吊りロッド５を磁力に抗して分離させてからハンガー本体３Ａから外すだけで前合わせ型衣類８０を取り込むことができる。
【００２４】
図６（Ａ）は、ハンガーから脱落しやすい形態の一例としてのボートネック型衣類１００を本実施の形態のハンガー１Ａに掛けた状態を示し、図６（Ｂ）はこれと同様にタックトップ型衣類１１０をハンガー１Ａに掛けた状態を示している。即ち、ボートネックやバレーネックの首周りの広い衣類やタンクトップの衣類は、ハンガーの傾斜したフレーム上をこれに掛けた肩部や肩紐が滑って脱落しやすいことが問題であったが、本実施の形態のハンガー１Ａを用いることにより、ハンガー本体３Ａに掛けてから吊りロッド５でその前部を押さえるように固定するだけで、これらがハンガー本体３Ａに固定されて、これらをそのまま干したりクローゼットに収納したりしても、脱落や型くずれを有効に防止できるものである。
【００２５】
尚、ズボン９０を掛ける場合には、図５に示すように先ず本体３Ａから分離した吊りロッド５にズボン９０を掛けた状態にした後、吊りロッド５をハンガー本体３Ａに固定すればよく、このようにすることで、ズボン９０を掛ける作業が容易なものとなる。したがって、ハンガー１Ａを１種類のみ揃えるだけであらゆる状況に対応できるようになって無駄が生じにくいものとなる。
【００２６】
また、上述した実施の形態においては、固定手段が磁石と磁石の組み合わせの場合を説明したが、ネオジム磁石のように磁力の強い磁石を使用する場合には、以下に示すようにハンガー本体側又は吊りロッド側のいずれか一方に磁性材料を設け、他方を磁石としても同様の機能を発揮できるものとなる。
【００２７】
図７は、上述したハンガー１Ａにおける固定手段の構成の応用例を、図２と同様に拡大した端面図で示すものであり、図７（Ａ）は、磁性材料である板状金属を側面視略Ｕ字状に屈曲させてフレーム３１下端側の下面に内側底面を密着した状態で装着した取付け部３１２（右側の取付け部３２２も同様）示しているが、この取付け部３１２は、前後両面に固定面３１２ａ，３１２ｂを形成しているため、図７（Ｂ）に示すように後面側でも吊りロッド５を固定できる点を特徴としている。
【００２８】
一方、図７（Ｃ）は固定手段の他の応用例として、磁性材料である板状金属を図７（Ａ）の場合よりも内側の間隔を拡大した状態の側面視略Ｕ字状に屈曲させてフレーム３１下端側の下面に内側底面を密着した状態で装着し、その縦向きに伸びた内側面３１３ｃとフレーム３１の前面との間に吊りロッド５端部側を上方から挿入可能な幅を有した凹部３１３０を形成してなる取付け部３１３（右側の取付け部３２３も同様）を示しており、前後の固定面３１３ａ，３１３ｂに加え、この凹部３１３０に吊りロッド５両端側を上方から挿入することによっても固定できる点を特徴としている。
【００２９】
図８は、図７（Ｃ）の固定手段を備えたハンガー１Ｃを用いて比較的重量のあるズボン９０を掛ける際の状態を示している。先ずハンガー本体３Ｃから吊りロッド５を一旦外してズボン９０を掛けておき、その被取付け部５１，５２のある両端側をハンガー本体３Ｃの左右の取付け部３１３，３２３の凹部３１３０，３２３０に上方から挿入することにより、吊りロッド５はハンガー本体３Ｃにしっかりと固定される。
【００３０】
この場合、図７（Ｃ）に示すように吊りロッド５に設けた被取付け部５１，５２の被固定面５１ａ，５２ａが磁性素材からなる内側面３１３ｃ，３２３ｃに密着する向きで挿入することにより、磁気吸着力で一層堅固に固定されて重い重量や激しい動きにも吊りロッド５が脱落しにくいものとなる。尚、取付け部３１３，３２３のＵ字状の内側間隔をさらに大きくして、フレーム３１，３２の前後両面側に凹部を各々形成させ、前後両方または前後いずれでも吊りロッド５を挿入可能なものとしても良い。
【００３１】
以上、述べたように衣類用のハンガーについて、本発明により、型くずれやハンガーから脱落しやすい衣類を掛ける際に、手間を要することなくこれらをハンガーに固定して、型くずれや脱落を有効に防止できるようになった。更に、吊りロッドが容易に分離できることで、ズボン類を掛けたり外したりする作業も容易になり、また、丸首シャツの首孔にハンガーを挿入することも容易になる等、従来の問題点を同時に解決することができた。
【符号の説明】
【００３２】
１Ａ，１Ｃ  ハンガー、３Ａ，３Ｃ  ハンガー本体、４  フック、５  吊りロッド、３１，３２  フレーム、５１，５２  被取付け部、５１ａ，５２ａ  被固定面、７０  丸首シャツ、７１  首孔、８０  前合わせ型衣類、８１  前開き部、９０  ズボン、１００  ボートネック型衣類、１１０タンクトップ型衣類、３１１，３１２，３１３，３２１，３２２，３２３  取付け部、３１１ａ，３１２ａ，３１２ｂ，３１３ａ，３１３ｂ，３１３ｃ，３２１ａ  固定面、３１３ｃ，３２３ｃ  内側面、３１３０，３２３０  凹部
【図１】
2011217777.tif 000003
【図２】
2011217777.tif 000004
【図３】
2011217777.tif 000005
【図４】
2011217777.tif 000006
【図５】
2011217777.tif 000007
【図６】
2011217777.tif 000008
【図７】
2011217777.tif 000009
【図８】
2011217777.tif 000010
【図９】
2011217777.tif 000011